(57)【要約】【課題】地域の需要者に対してタイムリーに提供するのに好適で、広告主には無償で広告制作コンテンツを提供することができて、他の広告媒体に比べ安価で即応性の高い地域広告システムを提供する。【解決手段】広告主端末４は、表示要求を入力する入力手段と、表示要求を広告サーバ１に送信する送信手段とを備え、広告サーバ１は、表示要求に対し、広告表示板６の予約状況を検索し、予約登録を行なう表示予約管理手段と、利用料金を算出し、送信する課金手段と、広告情報を広告表示板６に取得させる状態に置く広告情報設置手段と、ＵＲＬへのアクセス要求を受信する受信手段と、Ｗｅｂサイト情報を送信する送信手段とを備え、消費者端末５は、ＱＲコードを撮影し、撮影画像データを生成する撮影手段と、ＵＲＬを抽出する抽出手段と、抽出されたＵＲＬと、自装置に対応する端末識別情報とを送信する送信手段とを備える。【選択図】図１
2007280290.tif 000002
【特許請求の範囲】
【請求項１】
広告主端末、広告サーバ、広告表示板、及び消費者端末からなる地域広告システムであって、
前記広告主端末は、広告表示板の位置情報、表示内容、表示希望時間帯、及び広告主識別情報を含む表示要求を入力する入力手段と、入力された表示要求を前記インターネットを通じて前記広告サーバに送信する送信手段とを備え、
前記広告サーバは、広告主端末から受信した表示要求に対し、前記表示要求で要求されている広告表示板の予約状況を予約管理テーブルから検索し、予約状況に応じて前記表示要求に対する予約登録を行なう表示予約管理手段と、予約登録した表示予約内容に対する利用料金を算出し、広告主端末に送信する課金手段と、消費者端末の読み取り部により読み取り可能な、Ｗｅｂサイト情報のＵＲＬを示すＱＲコードを含む、前記広告表示板に表示する広告情報を前記広告表示板に取得させる状態に置く広告情報設置手段と、前記ＵＲＬへのアクセス要求を受信する受信手段と、前記受信手段により受信した前記ＵＲＬへのアクセス要求に従って、前記Ｗｅｂサイト情報を前記消費者端末に送信する送信手段とを備え、
前記消費者端末は、前記広告表示手段に表示されたＱＲコードを撮影し、撮影画像データを生成する撮影手段と、前記撮影手段により生成された撮影画像データからＵＲＬを抽出する抽出手段と、前記抽出されたＵＲＬと、自装置に対応する端末識別情報とを前記広告サーバへ送信する送信手段とを備えることを特徴とする地域広告システム。
【請求項２】
広告主が所有の端末又は携帯端末を利用し、通信ネットワークを介して広告及びＷｅｂサイト情報を作成できる広告制作手段を備える請求項１に記載の地域広告システム。
【請求項３】
広告主が所有の端末又は携帯端末を利用し、通信ネットワークを介して前記広告及びＷｅｂサイト情報の変更をリアルタイムに行なう登録情報手段を更に備える請求項１又は２に記載の地域広告システム。
【発明の詳細な説明】
【技術分野】
【０００１】
本発明は、地域広告システム、より詳細には、駅周辺の如き比較的狭い範囲において、時々刻々更新される最新広告情報を、当該地域の需要者に対してタイムリーに提供するための地域広告システムに関するものである。
【背景技術】
【０００２】
ある一定のエリア内を対象に事業を行なっている事業者にとって、その事業を顧客に周知するには、折り込みチラシ、交通広告、地域のフリーペーパー、又は電話帳広告等の媒体に頼らざるを得ない。
【０００３】
しかし、広告制作費や媒体費等を合算すると、自営業者や中小企業にとって安価な媒体とは言い難く、また、速報性に乏しいため事前に計画された情報の周知は可能であっても、情報の更新や変更は容易に行なえないのが実情である。
【０００４】
事業者の中には、インターネットを利用しホームページを掲示する傾向も増えているものの、顧客自身の積極的な検索がなければ広告効果を得ることはなく、不特定多数の中から顧客を掘り起こすことには繋がらない。
【０００５】
また、飲食店等では携帯電話やパソコン等による飲食店のインターネット検索サービス等に登録して新規顧客の掘り起こしを行なっているが、事前にパソコンで予約する顧客に対しては有効であるが、携帯電話で即検索するには課題が残る。
【特許文献１】特開２００２−１８３５９８号公報
【特許文献２】特開２００５−１２８４４８号公報
【発明の開示】
【発明が解決しようとする課題】
【０００６】
本発明はこのような問題に鑑みなされたものであり、駅周辺の如き比較的狭い範囲において、時々刻々更新される最新広告情報を、当該地域の需要者に対してタイムリーに提供するのに好適で、広告主には無償で広告制作コンテンツを提供することができて、他の広告媒体に比べ安価で即応性の高い地域広告システムを提供することを課題とする。
【課題を解決するための手段】
【０００７】
上記課題を解決するために、請求項１に係る発明は、広告主端末、広告サーバ、広告表示板、及び消費者端末からなる地域広告システムであって、前記広告主端末は、広告表示板の位置情報、表示内容、表示希望時間帯、及び広告主識別情報を含む表示要求を入力する入力手段と、入力された表示要求を前記インターネットを通じて前記広告サーバに送信する送信手段とを備え、前記広告サーバは、広告主端末から受信した表示要求に対し、前記表示要求で要求されている広告表示板の予約状況を予約管理テーブルから検索し、予約状況に応じて前記表示要求に対する予約登録を行なう表示予約管理手段と、予約登録した表示予約内容に対する利用料金を算出し、広告主端末に送信する課金手段と、消費者端末の読み取り部により読み取り可能な、Ｗｅｂサイト情報のＵＲＬを示すＱＲコードを含む、前記広告表示板に表示する広告情報を前記広告表示板に取得させる状態に置く広告情報設置手段と、前記ＵＲＬへのアクセス要求を受信する受信手段と、前記受信手段により受信した前記ＵＲＬへのアクセス要求に従って、前記Ｗｅｂサイト情報を前記消費者端末に送信する送信手段とを備え、前記消費者端末は、前記広告表示手段に表示されたＱＲコードを撮影し、撮影画像データを生成する撮影手段と、前記撮影手段により生成された撮影画像データからＵＲＬを抽出する抽出手段と、前記抽出されたＵＲＬと、自装置に対応する端末識別情報とを前記広告サーバへ送信する送信手段とを備えることを特徴とする地域広告システムを提唱する。
【０００８】
好ましくは、広告主が所有の端末又は携帯端末を利用し、通信ネットワークを介して広告及びＷｅｂサイト情報を作成できる広告制作手段、変更をリアルタイムに行なう登録情報手段を更に備える。
【発明の効果】
【０００９】
本発明によれば、ある特定エリアの集客施設に広告表示板を設置し、インターネットを利用し広告主端末と接続し、広告主には無償で広告制作コンテンツを提供することで、他の広告媒体に比べ安価で即応性の高い地域広告システムを提供することができ、不特定多数に広告表示を行なうことで、広告主にとっての新たな顧客の掘り起しが可能となり、また、インターネットの双方向性を活かし、顧客のニーズに基づき広告主の詳細情報を提供する等、広告主と顧客の両者に有益な環境を構築することで、事業性のある媒体になり得る効果があり、駅周辺の如き比較的狭い範囲において、時々刻々更新される最新広告情報を、当該地域の需要者に対してタイムリーに提供するのに好適で、広告主には無償で広告制作コンテンツを提供するシステムとして好適である。
【発明を実施するための最良の形態】
【００１０】
以下、本発明の実施形態を図面に従い説明する。図１は、本発明の地域広告システムの一実施形態を示すシステム構成図である。図１に示すシステムは、広告主が使用する広告主端末４と、消費者が使用する消費者端末５と、システム運営者が使用するシステム運営者端末２とを備え、更にインターネット３を介して広告主端末４から受信した広告情報を指定された構造物の広告表示板６に向けてインターネット３を介して取得させる広告サーバ１と、広告サーバ１から取得した広告情報を表示する広告表示板６とを備えている。
【００１１】
ここで、広告主端末４、消費者端末５、広告サーバ１、及び広告表示板６は通信回線によってインターネット３に接続可能に構成されている。
【００１２】
広告サーバ１は、キーボード、マウス、通信制御部、ＣＰＵ、ディスプレイ、記憶装置、及び外部記憶装置を備えている。記憶装置には、広告主からの表示要求を受け付け、予約を行なう等の各種のプログラムが記憶されている。
【００１３】
これらのプログラムは、広告主管理プログラム、広告表示予約・照会プログラム、広告サンプル表示プログラム、課金情報管理プログラム、広告チェックプログラム、スケジューリングプログラムという機能的な処理プログラム、条件検索プログラムによって構成されている。
【００１４】
広告主管理プログラムは、広告主ＩＤ番号や名称、料金支払い方法等の広告主毎の個別情報を管理するものである。広告表示予約・照会プログラムは、広告主からの広告の表示要求に対し、予約状況を調べ、予約がなければ予約登録し、更に利用料金を算出して広告主に請求する等の処理を行なうものである。
【００１５】
広告サンプル表示プログラムは、広告主からの要求に応じて広告内容の表示サンプルを生成し、広告主端末４に返信するものである。課金情報管理プログラムは、予約登録された表示要求に対する利用料金を算出するものである。
【００１６】
広告チェックプログラムは、システム運営者が、予約登録された表示内容の中に公序良俗に抵触するような表現等の不適切な表現があるか否かをチェックし、不適切な表現が存在している場合には、表現を改めるように通知し、指定日時までに改めなかった場合は予約を取り消す等の処理をシステム運営者端末２にて行なうことができるようにするものである。
【００１７】
スケジューリングプログラムは、１日の中で指定された時刻に、所定時間後に表示すべき予約が登録されているか否かを調べ、登録されている場合には、その予約登録された表示内容を該当する広告表示板６から取得させるものである。
【００１８】
条件検索プログラムは、広告主が広告を依頼する場合に、表示希望位置に適合する広告表示板６の予約状況、利用料金を調べて広告主に返信するためのものである。
【００１９】
図２は、広告サーバ１の外部記憶装置内に設けられる広告主管理テーブルの構成を示すものであり、広告主ＩＤ、氏名又は名称、住所又は所在地、広告主メールアドレス、及びパスワードの各格納フィールドが設けられている。
【００２０】
氏名又は名称及び住所又は所在地は、その広告主の氏名又は名称及び住所又は所在地である。広告主メールアドレスは、予約結果や利用料金等をメールで広告主に返信する場合に使用するためのものである。パスワードは、広告主が地域広告システムにログインするためのパスワードである。
【００２１】
図３は、広告サーバ１の外部記憶装置内に設けられる広告表示板情報テーブルの構成を示すものであり、広告表示板番号毎にレコードが作成され、各レコードには、広告表示板６の位置等が記憶されている。
【００２２】
広告表示板番号は、広告を表示する広告表示板６を特定する番号である。広告表示板６の位置は、広告表示板６が設置されている場所である。広告表示板６の大きさは、広告表示板６の表示領域の大きさである。
【００２３】
図４は、広告サーバ１の外部記憶装置内に設けられる広告情報テーブルの構成を示すものであり、広告番号毎にレコードが作成され、広告主ＩＤ、広告を行なう広告表示板番号、広告内容を示す広告データファイルのＵＲＬ、アクセスされるＷｅｂサイトのＵＲＬ等が記憶されている。
【００２４】
図５は、広告サーバ１の外部記憶装置内に設けられるスケジュール情報テーブルの構成を示すものであり、スケジュール番号毎にレコードが作成され、各レコードには、広告番号、広告表示板番号、広告時間帯等が記憶されている。
【００２５】
スケジュール番号は、広告を表示するスケジュール情報を特定する番号である。広告時間帯は、広告の表示を開始及び終了する時間であり、例えば、スケジュール情報テーブルの広告時間帯が２００５／０９／２８／１３：００の場合には、２００５年９月２８日の１３時から１時間広告を流すように設定される。
【００２６】
図６は、広告サーバ１の外部記憶装置内に設けられるアクセス情報テーブルの構成を示すものであり、アクセス番号毎にレコードが作成され、各レコードには、広告番号、アクセス日時等が記憶されている。
【００２７】
図７は、広告サーバ１の外部記憶装置内に設けられる広告履歴情報テーブルの構成を示すものであり、広告番号毎にレコードが作成され、各レコードには、広告表示板番号、広告時間帯等が記憶されている。
【００２８】
図８は、広告サーバ１の外部記憶装置内に設けられる広告料金情報テーブルの構成を示すものであり、広告表示板番号毎にレコードが作成され、各レコードには、表示時間当たりの広告料金等が記憶されている。
【００２９】
そして、広告サーバ１が、広告料金情報テーブルに記憶された広告料金に関する情報、広告履歴情報テーブルに記憶された広告履歴に関する情報等から、広告料金を算出する。
【００３０】
図９は、広告サーバ１の外部記憶装置内に設けられる請求情報テーブルの構成を示すものであり、請求の日付、広告主ＩＤ、氏名又は名称、住所又は所在地、金額等の情報が記憶されている。
【００３１】
図１２は、広告サーバ１の広告表示予約・照会プログラムの処理の概要を示すフローチャートである。ここでは、広告主端末４から表示予約を行なう場合について説明する。まず、広告の表示予約を行なう場合、広告サーバ１は広告主ＩＤを広告主端末４の広告主に入力させる。
【００３２】
入力された広告主ＩＤは、インターネット３を介して広告サーバ１で受信される。広告表示予約・照会プログラムは、受信した広告主ＩＤが広告主管理テーブルに予め登録された正規のＩＤであるか否かをチェックし、正規のものでなければ、再度の入力を促す。
【００３３】
以下、ステップＳ１以降に示す予約処理について説明する。まず、処理制御部は、図１１に示すメニューページを広告主端末４に表示させる（ステップＳ１）。次に、処理制御部は、メニューページから広告の登録が選択されているか否かを判別する（Ｓ２）。即ち、広告主の担当者がメニューページから広告の登録をクリックしたか否かを判別する。
【００３４】
処理制御部は、広告の登録がクリックされていないと判別すると（ステップＳ２Ｎｏ）、この処理を終了する。処理制御部は、広告の登録がクリックされていると判別すると（ステップＳ２Ｙｅｓ）、登録用ページの情報を広告主端末４に送信し、広告主端末４に登録用ページを表示する（ステップＳ３）。
【００３５】
広告主の担当者は、広告主端末４に表示された登録用ページに従って広告登録に関する情報、例えば、登録したい内容、アクセスするＷｅｂサイトの内容等を入力し、入力した情報を広告サーバ１に送信する。
【００３６】
表示内容が入力されたならば、広告チェックプログラムを起動し、その内容の中に不適切な表現がないかどうかをシステム運営者端末２のシステム運営者にチェックさせる（ステップＳ４）。
【００３７】
不適切な表現が含まれていた場合には、訂正して再入力させる（ステップＳ４Ｎｏ）。不適切な表現がなければ、（ステップＳ４Ｙｅｓ）、広告主から送信された広告登録に関する情報を、広告及びＷｅｂサイトのテンプレートに適用して広告及びＷｅｂサイト用のＷｅｂページをそれぞれ生成する（ステップＳ５）。
【００３８】
これにより登録情報から広告及びＷｅｂサイトの登録が行なわれたこととなる。最後に、広告情報テーブルに、広告登録に関する情報を登録し（ステップＳ６）、この処理を終了する。
【００３９】
なお、テンプレートは複数あり、広告主の担当者が、適切なテンプレートを選択することが可能である。この場合、処理制御部は、例えば、広告内容のコンセプト別等のリストを作成し、このリストから適切なテンプレートを選択させる。
【００４０】
また、広告登録処理により登録した内容を修正したい場合には、図１１に示すメニューページから修正をクリックした後、例えば、広告情報テーブルに登録されている広告番号を特定し、その広告内容を変更する。これにより、広告情報テーブルに登録されている内容を修正することができる。
【００４１】
広告主は、広告内容を登録すると、登録した広告内容を表示するスケジュールを予約する広告予約処理を実行する。以下、広告予約処理を図１３のフローチャートを参照して説明する。
【００４２】
まず、処理制御部は、図１１に示すメニューページを広告主端末４に表示させる（ステップＳ１１）。次に、処理制御部は、メニューページから広告予約がクリックされているか否かを判別する（ステップＳ１２）。
【００４３】
処理制御部は、広告予約がクリックされていないと判別すると（ステップＳ１２Ｎｏ）、この処理を終了する。処理制御部は、広告予約がクリックされていると判別すると（ステップＳ１２Ｙｅｓ）、予約用ページの情報を広告主端末４に送信し、広告主端末４に予約用ページを表示する（ステップＳ１３）。
【００４４】
広告主の担当者は、広告主端末４に表示された予約用ページに従って希望するスケジュールに関する情報、例えば、広告番号、広告表示板番号、広告希望日時等を入力し、入力した情報を広告サーバ１に送信する。
【００４５】
次に、処理制御部は、必要な情報を受信したか否かを判別する（ステップＳ１４）。処理制御部は、必要な情報を受信していないと判別すると（ステップＳ１４Ｎｏ）、必要な情報を受信していない旨の情報を広告主端末４に表示させ、広告主の担当者に再度必要な情報の送信を求める。
【００４６】
処理制御部は、必要な情報を受信していると判別すると（ステップＳ１４Ｙｅｓ）、受信したスケジュールに関する情報をスケジュール情報テーブルに登録し（ステップＳ１５）、この処理を終了する。
【００４７】
また、広告予約処理により登録した内容を修正したい場合には、図１１に示すメニューページから修正をクリックした後、例えば、スケジュール情報テーブルに登録されているスケジュール番号を特定し、スケジュール内容を変更する。これにより、スケジュール情報テーブルに登録されている内容を修正することができる。
【００４８】
以下、広告表示処理を図１４のフローチャートを参照して説明する。処理制御部は、スケジュール情報テーブルに登録されているスケジュールについて広告開始時間の所定時間前になると、広告表示板６に表示する広告の広告番号を特定する（ステップＳ２１）。
【００４９】
次に、処理制御部は、特定した広告番号についてスケジュールデータを表示する広告表示板６に送信する（ステップＳ２２）。続いて、広告表示板６は、広告開始時間になったか否かを判別する（ステップＳ２３）。
【００５０】
広告開始時間になると（ステップＳ２３Ｙｅｓ）、広告表示板６は、広告サーバ１から広告データファイルを取得し、広告データの表示を開始する（ステップＳ２４）。これにより、スケジュール情報テーブルに登録されているスケジュールに従って、所定の広告表示板６に所定の広告内容が表示される。
【００５１】
次に、処理制御部は、広告終了時間になったか否かを判別する（ステップＳ２５）。広告終了時間になると（ステップＳ２５Ｙｅｓ）、表示した広告データの表示を終了する（ステップＳ２６）。
【００５２】
続いて、処理制御部は、広告表示板６に表示した広告についての広告履歴を作成し、作成した広告履歴を広告履歴情報テーブルに登録し（ステップＳ２７）、この処理を終了する。このように、街頭等に設置された広告表示板６に広告内容が表示されるので、潜在的消費者の掘り起こしが可能となる。
【００５３】
広告表示処理により広告表示板６に表示された広告内容の一例を図１５に示す。消費者は、図１５に示すような広告表示板６に表示された広告内容に興味を持つと、自己の消費者端末５を用いて、広告内容に関する詳細な情報を得ることができる。
【００５４】
例えば、バーコード又は２次元バーコードによりＵＲＬを読み取る場合、消費者は、自己の消費者端末５でバーコード又は２次元バーコードを撮影することにより、図１６に示すように、広告情報テーブルに登録されたＷｅｂサイトに接続できるＵＲＬが消費者端末５に受信される。
【００５５】
このＷｅｂサイトには、例えば、広告主の公式ホームページのアドレスや特典情報等が掲示されており、消費者は、消費者端末５に提供されたＵＲＬを用いて広告情報テーブルに登録されたＷｅｂサイトに接続することにより、更に詳細な情報を得ることができる。
【００５６】
このようにして、消費者に詳細な情報を容易に提供することができる。このため、効果的な広告を行なうことができる。消費者が提供されたＵＲＬを用いて所定のＷｅｂサイトに接続すると、処理制御部は、アクセス情報処理を実行する。
【００５７】
アクセス情報処理を図１６のフローチャートを参照して説明する。処理制御部は、消費者が提供されたＵＲＬを用いてＷｅｂサイトにアクセスしているか否かを判別する（ステップＳ３１）。
【００５８】
処理制御部は、アクセスしていないと判別すると（ステップＳ３１Ｎｏ）、この処理を終了する。処理制御部は、アクセスしていると判別すると（ステップＳ３１Ｙｅｓ）、広告情報テーブルに記憶されているＷｅｂサイトデータの中からＵＲＬに対応するＷｅｂサイトデータを消費者端末５に送信する（ステップＳ３２）。
【００５９】
処理制御部は、対応するＷｅｂサイトデータを消費者端末５に送信すると、アクセス情報をアクセス情報テーブルに登録し（ステップＳ３３）、この処理を終了する。ここで、広告サーバ１は、アクセス情報テーブルに登録された情報を、広告主端末４に送信するようにすることが可能である。
【００６０】
処理制御部は、広告表示板６に広告内容が表示されると、所定の期間、例えば、１ヶ月毎に、広告料金を算出する広告料金算出処理を行なう。本発明では、広告料金は、広告表示板で表示された表示時間当たりの広告料金から算出される。
【００６１】
広告表示板で表示された表示時間当たりの広告料金は、広告履歴情報テーブルに記憶された広告表示板番号及び広告時間と、広告料金情報テーブルに記憶された広告表示板番号における表示時間当たりの料金とから算出される。
【００６２】
即ち、表示された広告表示板の広告表示板番号に表示時間当たりの料金と表示時間との積により求められる。また、処理制御部は、広告料金算出処理により広告料金を算出すると、請求情報テーブルに登録された情報から請求書を作成し、広告主に作成した請求書を送付する。
【００６３】
以上説明したように、本発明によれば、広告表示板６にリアルタイムな広告内容が表示されるので、潜在的消費者の掘り起こしが可能となる。また、ＵＲＬ提供部から携帯電話に提供されたＵＲＬを用いて広告情報テーブルに登録されたＷｅｂサイトに接続することができるので、容易にＷｅｂサイトに接続することができ、消費者に詳細な情報を容易に提供することができる。このため、効果的な広告を行なうことができる。
【００６４】
また更に、地域広告システムにより、広告の登録から広告料金の算出までのシステムが確立され、商品等の広告を行ないたい広告主が本システムを利用し易くなる。このため、広告表示板６を用いた広告を支援することができる。
【００６５】
なお、本発明は、上記形態に限られず、種々の変形、応用が可能である。以下、本発明に適用可能な他の実施の形態について説明する。例えば広告表示板を屋外でなく、オフィスビルのエレベーターホールやタクシーの座席前後等に配置した広告展開が可能である。
【００６６】
また、Ｗｅｂサイトにより商品等に関する詳細な情報を、消費者端末５に送信する場合を例に本発明を説明したが、単に商品等に関する詳細な情報を提供するだけでなく、例えば、商品カタログ、ショッピング、又は資料やサンプルの請求等を行なえるようにしてもよい。
【００６７】
この場合、消費者は、氏名、住所等の個人情報データを、例えば、消費者端末５等に事前登録しておくと、資料やサンプルの請求等の操作を容易にすることができる。また、消費者から資料やサンプルの請求等があった場合、広告サーバ１は、広告主端末４に受信した必要最低限の個人データ、資料やサンプルの請求等の情報を送信する。
【００６８】
更に、配送業者用端末をインターネット３を介して広告サーバ１に接続すると、配送作業を容易にすることができる。この場合、広告サーバ１は、配送業者用端末に必要最低限の個人データ等を送信する。
【００６９】
更に、バーコード又は２次元バーコードによりＵＲＬを得る場合を例に本発明を説明したが、広告表示板６のＵＲＬ提供部からＵＲＬ等の情報が得られるものであればよく、例えば、ＵＲＬ提供部に簡易ＵＲＬが表示されているものであってもよい。
【００７０】
簡易ＵＲＬとは、携帯電話での入力を簡易にすることができるＵＲＬであり、文字数が少なく、且つ、携帯電話での入力において何度も同じボタンを押す必要のないＵＲＬをいう。この場合にも、消費者がＵＲＬを入力する労力を軽減することができる。
【００７１】
また更に、ＵＲＬ提供部から消費者端末５にＵＲＬが得られる場合を例に本発明を説明したが、消費者が容易に広告内容に関する詳細な情報が得られるものであればよく、ＵＲＬ提供部からＵＲＬが得られる場合に限定されるものではない。
【００７２】
また、ＵＲＬ提供部から消費者端末５にコンテンツが直接読み込まれるものであってもよい。この場合、ＵＲＬ提供部には、例えば、２次元バーコードが設けられる。これは、２次元バーコードには全角２５６文字の情報が入るためである。
【００７３】
コンテンツとしては、例えば、クイズ、携帯電話の待ち受け画面、懸賞の応募、着メロ、又は割引券であってもよい。また、特定の広告表示板６から提供されたＵＲＬにアクセスすることのみによって割引券等が得られるようにすれば、特定の広告表示板６に更に注目するようになり、商品等の宣伝、広告効果を更に高めることができる。
【００７４】
本発明に係る広告サーバ１は、専用のシステムによらず、通常のコンピュータシステムを用いて実現可能である。例えば、汎用コンピュータに、上記の処理を実行するためのプログラムを格納した記録媒体からプログラムをインストールすることにより、上記の処理を実行する広告サーバ１を構成することができる。
【００７５】
そして、これらのプログラムを供給するための手段は任意である。上記のように所定の記憶媒体を介して供給できる他、例えば、通信回線、通信システム、又は通信ネットワーク等を介して供給してもよい。そして、このように提供されたプログラムを起動し、ＯＳの制御下で、他のアプリケーションプログラムと同様に実行することにより、上記の処理を実行することができる。
【００７６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００７７】
【図１】本発明に係る地域広告システムの構成を示す図である。
【図２】本発明に係る広告主管理テーブルの構成を示す図である。
【図３】本発明に係る広告表示板情報テーブルの構成を示す図である。
【図４】本発明に係る広告情報テーブルの構成を示す図である。
【図５】本発明に係るスケジュール情報テーブルの構成を示す図である。
【図６】本発明に係るアクセス情報テーブルの構成を示す図である。
【図７】本発明に係る広告履歴情報テーブルの構成を示す図である。
【図８】本発明に係る広告料金情報テーブルの構成を示す図である。
【図９】本発明に係る請求情報テーブルの構成を示す図である。
【図１０】本発明に係るログイン画面用ページの一例を示す図である。
【図１１】本発明に係るメニューページの一例を示す図である。
【図１２】本発明に係る広告登録処理を説明するためのフローチャートである。
【図１３】本発明に係る広告予約処理を説明するためのフローチャートである。
【図１４】本発明に係る広告表示処理を説明するためのフローチャートである。
【図１５】本発明に係る広告表示板に広告内容を表示した一例を示す図である。
【図１６】本発明に係るアクセス情報処理を説明するためのフローチャートである。
【符号の説明】
【００７８】
１    広告サーバ
２    システム運営者端末
３    インターネット
４    広告主端末
５    消費者端末
６    広告表示板
【図１】
2007280290.tif 000003
【図２】
2007280290.tif 000004
【図３】
2007280290.tif 000005
【図４】
2007280290.tif 000006
【図５】
2007280290.tif 000007
【図６】
2007280290.tif 000008
【図７】
2007280290.tif 000009
【図８】
2007280290.tif 000010
【図９】
2007280290.tif 000011
【図１０】
2007280290.tif 000012
【図１１】
2007280290.tif 000013
【図１２】
2007280290.tif 000014
【図１３】
2007280290.tif 000015
【図１４】
2007280290.tif 000016
【図１５】
2007280290.tif 000017
【図１６】
2007280290.tif 000018